(57)【要約】      （修正有）【課題】ユビキタス製品として冷蔵庫システムが普及した将来に、野菜・果物等についてはソースタギングの普及が遅れることが予想されるので、野菜・果物等についても冷蔵庫システムに保存されている野菜・果物等の名前の情報を読み取り可能にするＩＣタグ付保存袋の提供。【解決手段】野菜・果物等の種類、形、大きさなどに合わせたＩＣタグ付保存袋に、野菜・果物等の代表的な名前を選んで２の位置に２ａのように印刷して、多数用意しておく。冷蔵庫システム７に保存するときには、野菜・果物等の名前２ａと大きさに合ったＩＣタグ付保存袋を選んで収納する。キャベツなどを半分だけ使用したときには、小さなＩＣタグ付保存袋に入れ替えて収納する。冷蔵庫システム７がＩＣタグ３の情報により冷蔵庫システム内の野菜・果物等の名前２ａと保存量を読み取れる。【選択図】図１
2005247418.tif 000002
【特許請求の範囲】
【請求項１】
ＩＣタグ付野菜・果物等の名前印刷の冷蔵庫保存用ジッパー付ビニール袋（以下「本発明品」という）のＩＣメモリーに予め野菜・果物等の名前とビニール袋の大きさの情報を書き込んでおくことで、自動冷蔵システム（以下「冷蔵庫システム」という）へ野菜・果物等の名前と保存量の情報を提供することが出来る保存袋。
【請求項２】
本発明品のＩＣタグ及びビニール袋に、ビニール袋の大きさの情報は書き込まれているが、野菜・果物等の名前データが書き込まれていない本発明品に、使用者がＩＣタグデータの書き込みと、ビニール袋へマジックインク等で品名を書き込むことにより、冷蔵庫システムへ野菜・果物等の名前と保存量の情報を提供することが出来る保存袋。
【請求項３】
請求項１及び請求項２に記載している本発明品に使用する保存袋は、ビニール以外の材質でも利用が可能である。また、形状においても、袋形状以外の容器形状のものについても利用が可能である。
【発明の詳細な説明】
【技術分野】
【０００１】  本発明品は、冷蔵庫の中へ保存されている野菜・果物等の名前と保存量を読み取り可能にする野菜・果物等の保存袋等に関するものである。
【背景技術】
【０００２】  冷蔵庫の中に保存されている野菜・果物等の名前の確認については、冷蔵庫の中を覗いて目で確認するか、冷蔵庫への出し入れの都度保存されているものをメモに書いて在庫管理するとかの方法がある。【０００３】  しかし、冷蔵庫の中に保存されているものを何度も扉を開けて野菜・果物等の名前と保存量を確認することは、面倒であるとともに省エネルギーの観点からもよろしくない。また、冷蔵庫への出し入れの都度メモに書いて在庫管理かるのも面倒である。【０００４】  ユビキタス時代が到来して、各家庭にもユビキタス製品が普及されるようになると、冷蔵庫の中に保存されている内容物についてその品名と量とを扉を開けなくても知りたいとか、外出先からでも知りたいとかの要望が必然的に出てくる。食品メーカーで製造されたものとか、スーパーや百貨店などて販売されるものについては、ソースタギングにより大部分の商品についてＩＣタグが付いてくると思われるので、そのタグ情報で冷蔵庫内の食品等に関する情報を読み取る自動冷蔵システム（以下「冷蔵庫システム」という）の構築が可能である。【０００５】  しかし、だいこん、にんじん、ごぼう、キャベツ、レタス、ほうれん草等の野菜、及び果物等については、ソースタギングが普及し実施されるのは相当遅くなるものと思われる。また、野菜・果物等を買った時点でソースタギングされているとしても、全体の一部を使った場合には、ＩＣタグが取れてしまってタグ情報の読み取りが出来なくなるとともに、その残りの保存量の情報もない。
【特許文献１】特開２００１−３１７８６２号公報
【発明の開示】
【発明が解決しようとする課題】
【０００６】  解決しようとする問題点は、ユビキタス製品として冷蔵庫システムが普及するであろう将来には、野菜・果物等についてはソースタギングの普及が遅れることが予想されるので、野菜・果物等についても冷蔵庫システムに保存されている野菜・果物等の名前の情報を読み取り可能にする必要がある。また、野菜・果物等の冷蔵庫システム内の保存量についての情報も必然的に欲しくなると思われるので、保存量の目安を知ることも可能にする必要がある。
【課題を解決するための手段】
【０００７】  野菜・果物等の名前、形、大きさなどに合わせた本発明品５に、予め野菜・果物等の名前２ａを印刷し、ＩＣタグ３ａにはその名前２ａと大きさの情報を書き込んで、多品目の本発明品５を冷蔵庫システム７の使用者に対して必要枚数を提供する。冷蔵庫システム７の使用者が野菜・果物等を保存するときには、野菜・果物等の名前２ａと大きさに合った本発明品５を選んで収納する。キャベツなどを半分だけ使用したときには、小さな本発明品５を選んで、詰め替えて収納する。
【発明の効果】
【０００８】  本発明品５は、野菜・果物等を冷蔵庫システムに収納するときに、それぞれの野菜・果物等の名前２ａと大きさに合った本発明品５に入れておけば、冷蔵庫システム７がＩＣタグ３ａの情報により冷蔵庫システム内の野菜・果物等の種類２ａと保存量を読み取れる利点がある。
【発明を実施するための最良の形態】
【０００９】  冷蔵庫システム７内に保存されている野菜・果物等の名前２ａ並びに保存量のＩＣタグ３ａ情報を、簡単で安価な方法にて冷蔵庫システム７へ提供するものである。
【実施例１】
【００１０】  図１は、本発明品５の１実施例の姿図である。【００１１】  ジッパー４付ビニール袋１には、保存物２ａの表示（にんじん）が印刷されており、ＩＣタグ３ａが印刷または貼り付けられている。本発明品５の主体は、冷蔵庫システム保存用ビニール袋にあるので、電子、機構系の説明は省略する。【００１２】  ＩＣタグ３ａには野菜・果物等の名前２ａの情報と大きさの情報がＩＣメモリーに書き込まれている。【００１３】  使用者は、保存する野菜・果物等の名前２ａと大きさに合わせて、本発明品５に入れて冷蔵庫システム７に保存する。【００１４】  使用者は、冷蔵庫システム内の野菜・果物等の一部を使用したときには、野菜・果物等の残り量の大きさに合わせて、野菜・果物等の名前２ａの本発明品５に詰め替えて冷蔵庫システム７に保存する。
【実施例２】
【００１５】  野菜・果物等であまり一般的でない品名やそれ以外のものであっても、冷蔵庫システムのＩＣタグ３ｂへの書き込み装置にて、本発明品５への情報の書き込みを可能にして、品名・量・大きさの情報の管理が可能になる。このような場合には、ＩＣタグ３には保存袋の大きさのデータは書き込まれているが、品名データが書き込まれていない本発明品５を提供して、本発明品５のＩＣタグ３ｂに保存したい品名のデータを入力するとともに油性マジックインク等で品名を本発明品の所定の場所２ｂに記載して使用する。【００１６】  いずれにしても、注意事項として、空になった本発明品５を冷蔵庫システム７内へ残してはならない。【００１７】  図２は、冷蔵庫システムを実現した場合の概念図である。このような内容の本発明品５を採用したので、予想される冷蔵庫システムを大きく変更することなく、安価で簡単な方法によりユビキタス時代の冷蔵庫システムの実現が可能になる。【００１８】  冷蔵庫システムを消費者へ販売提供する時点で冷蔵庫システム７の付属品として本発明品５を提供すれば、冷蔵庫システム７を効果的に活用できる。
【図面の簡単な説明】
【００１９】
【図１】本発明品５の説明図である。
【図２】冷蔵庫システム７を実現した場合の概念図である。
【符号の説明】
【００２０】  １    野菜・果物等保存用ビニール袋等
２    野菜・果物等保存物の名前の記載場所
２ａ  野菜・果物等保存物の名前が印刷済み
２ｂ  野菜・果物等保存物の名前が印刷されていない無地のもの
３    ＩＣタグ
３ａ  ２ａ情報と袋の大きさ情報が書き込まれたＩＣタグ
３ｂ  ２ｂ情報と袋の大きさ情報が書き込まれたＩＣタグ
４    ビニール袋のジッパー
５    本発明品全体
６    ＩＣタグ用リーダーまたは、アンテナ
７    冷蔵庫システム
８    ソースタギング食料品等
【図１】
2005247418.tif 000003
【図２】
2005247418.tif 000004